(57)【特許請求の範囲】
【請求項１】
２台のスピーカと、該２台のスピーカを収納する収納容器を有するスピーカシステムであって、
前記スピーカは、円筒体の側面が該円筒体の軸に平行な縦断面で切断された形状である平面状側面と円弧状側面とを有し、かつ、該円弧状側面に開口部が形成されたエンクロージャと、該エンクロージャの開口部に配設されたスピーカユニットを有し、
前記収納容器は、収納部を有し、該収納部内に、前記各エンクロージャの平面状側面同士が対向し、前記各エンクロージャの円弧状側面の少なくとも一部が前記収納部の内面に接する状態で、前記２台のスピーカを収納するものである、
ことを特徴とするスピーカシステム。
【請求項２】
請求項１に記載のスピーカシステムに用いる収納容器であって、
収納部を有し、該収納部内に、前記各エンクロージャの平面状側面同士が対向し、前記各エンクロージャの円弧状側面の少なくとも一部が前記収納部の内面に接する状態で、前記２台のスピーカを収納する、
ことを特徴とする収納容器。
【発明の詳細な説明】
【技術分野】
【０００１】
本発明は、円筒体を基本形状としたエンクロージャを有し、収納又は運搬するのに好適なスピーカに関するものである。
特に、パブリックアドレス用のスピーカに係るものである。
【背景技術】
【０００２】
PA（パブリックアドレス，Public Address）用スピーカと呼ばれる、音響設備用のスピーカは、スピーカ・スタンドに取り付けて縦置きしたり、床に横置きしたりというように、多様な設置形態で使用される。また、ライブ、イベント等の移動会場で使用される場合に、搬送が容易であることが求められる。
例えば、２個のスピーカを収納できる専用のキャリング・ケース（ローラ・バッグ）がオプションで用意されているスピーカもある。
【０００３】
音響設備用スピーカのエンクロージャは、従来、直方体形状のものが多く、縦置きで使用される場合が多かった。しかし、最近では、横置きにしてフロア・モニタとしても使用できるように、多角柱をした形状のものがある。
特許文献１に記載のスピーカ装置では、スピーカボックス（エンクロージャ）がほぼ５角柱である。また、背面に凹部を有し、ここに、ミキサー部やマイク、コード類を収納できる。
しかし、エンクロージャは、音響特性を考えると、角柱形状よりも円筒体が望ましい。円筒体であれば、容積当たりの表面積が小さくなるからエンクロージャを軽量化でき、また、堅固な構造体となる。
円筒体を基本形状とするエンクロージャとして、従来、種々のものが知られている。
例えば、特許文献２では、円筒体を切断した形状で、半円形または扇形を底面とするエンクロージャが記載され、切断された平面部にスピーカを配置している。
【０００４】
また、小型のスピーカシステムでは、完全な円筒体の上下底面や側面にスピーカユニットを配設したものがある。
しかし、上述した音響設備用のスピーカは、大型で重量があるから、設置や搬送にも留意する必要がある。ところが、完全な円筒体では、音響設備用スピーカとして使用するには、多様な設置形態で使用しにくく、かつ、搬送や保管がしにくいという問題がある。
【０００５】
【特許文献１】特開２００６−９３９６２号公報
【特許文献２】特開昭５９−１８９７９７号公報
【発明の開示】
【発明が解決しようとする課題】
【０００６】
本発明は、上述した問題点を解決するためになされたものであり、円筒体を基本形状とするスピーカを多様な設置形態で使用できるようにするとともに、小さな収納容器に収納し、又は運搬するのに適したスピーカを提供することを目的とするものである。
【課題を解決するための手段】
【０００７】
本発明は、請求項１に記載の発明においては、２台のスピーカと、該２台のスピーカを収納する収納容器を有するスピーカシステムであって、前記スピーカは、円筒体の側面が該円筒体の軸に平行な縦断面で切断された形状である平面状側面と円弧状側面とを有し、かつ、該円弧状側面に開口部が形成されたエンクロージャと、該エンクロージャの開口部に配設されたスピーカユニットを有し、前記収納容器は、収納部を有し、該収納部内に、前記各エンクロージャの平面状側面同士が対向し、前記各エンクロージャの円弧状側面の少なくとも一部が前記収納部の内面に接する状態で、前記２台のスピーカを収納するものである。
円筒体を基本形状としたエンクロージャであるから、内容積の割に軽量となり、また、強固な構造体となる。
丸加工しなくても、円弧状側面がそのままラウンドバッフルとなり、エンクロージャの角面での音の回折がなくなり、回折の影響が低減される。
縦置き使用時において、風の影響を受けにくいことからスピーカを安定に設置できる。
横置き使用時において、平面状側面を設置面とすることによりスピーカを安定に設置できる。
収納容器は、２台のスピーカを、平面状側面同士が対向し、円弧状側面の少なくとも一部が収納部の内面に接する状態で収納するため、２台のスピーカを小さくまとめて小さな収納容器に収納し、運搬、保管を便利なようにすることができる。
【０００８】
請求項２に記載の発明においては、請求項１に記載のスピーカシステムに用いる収納容器であって、収納部を有し、該収納部内に、前記各エンクロージャの平面状側面同士が対向し、前記各エンクロージャの円弧状側面の少なくとも一部が前記収納部の内面に接する状態で、前記２台のスピーカを収納するものである。
従って、請求項１に記載のスピーカシステムを実現することができる。
【０００９】
上述したスピーカは、円筒体の側面が該円筒体の軸に平行な縦断面で切断された形状である平面状側面と円弧状側面とを有し、かつ、該円弧状側面に開口部が形成されたエンクロージャと、該エンクロージャの開口部に配設されたスピーカユニットを有するものである。
従って、軽量強固で、そのままラウンドバッフルとなり、縦置き使用時、横置き使用時においてスピーカを安定に設置でき、かつ、収納、運搬に好適なスピーカを実現することができる。
【発明の効果】
【００１０】
本発明のスピーカシステムによれば、円筒体を基本形状とするスピーカの利点を備えるとともに、スタンド載置、床置き等の多様な設置形態で使用できるという効果がある。２個のスピーカを小さくまとめて収納できるので、搬送や保管が便利であるという効果がある。
【発明を実施するための最良の形態】
【００１１】
図１は、本発明の実施形態に用いるスピーカの外観を示す斜視図である。
このスピーカ１のエンクロージャは、円筒体（円柱体ということもできる）を基本形状とする。図示のスピーカ１は、２ウェイ構成であるため、スピーカユニットとして、ウーファ（woofer）２とツィータ（tweeter）３を有する。
エンクロージャは、円筒体の側面が、この円筒体の軸１ａに平行な縦断面で切断された形状である平面状側面１ｂと円弧状側面１ｃとを有する。この円弧状側面１ｃに開口部１ｄ，１ｍが形成されている。開口部１ｍは、取付平面１ｅに形成されており、図１では外に表れていない（図２（ｂ）参照）。
【００１２】
ここで、円弧状側面１ｃとは、円筒体の軸１ａに垂直な横断面との交線が円弧となるような側面をいう。
図示の平面状側面１ｂは、角が斜め切りされているので、前面から見ると８角形となっている。
２ａはウーファのフランジであり、図示の例では、８個の孔が開けられており、この孔にねじを通してウーファ２を平面状側面１ｂにねじ止めする。
【００１３】
取付平面１ｅは、円弧状側面１ｃにおける円筒体の軸１ａ方向の一部において、この軸１ａに平行で、平面状側面１ｂを形成した縦断面とは異なる縦断面で切断された形状のものである。平面状側面１ｂと取付平面１ｅとは、ｘ軸１ａを中心とする周方向角度が異なり、図示の例では、非平行である。取付平面１ｅは、円弧状側面１ｃから円筒の内側に長さｄだけ後退している。なお、平面状側面１ｂと取付平面１ｅとが平行でもよい。
開口部１ｍには、平坦なフランジ２ａを有するコーン型のウーファ２が、その前面開口を位置合わせし、その前面開口中心軸を外向きにして配設されている。フランジ２ａの直径は、円筒体の直径よりも短い。
【００１４】
一方、開口部１ｄには、ホーン型スピーカであるツィータ３が配設されている。図示の例では、円弧状側面１ｃに形成された開口部１ｄとホーン１ｆの開口部とを一致させて一体化形成し、このホーン１ｆの喉部にホーン型スピーカの駆動部（ドライバ）を取り付ける。
この開口部１ｄは、取付平面１ｅに対し、前面張出部１ｇを間にして形成されている。
【００１５】
このスピーカ１は、バスレフ形式であるため、取付平面１ｅに対し、前面張出部１ｉを間にしてバスレフポート１ｈが形成されている。
図示のバスレフポート１ｈは、エンクロージャの内部で、ダクトの内幅が左右に拡大して円弧状側面１ｃに開口するため、バスレフポート気流が周方向の左右に広がりやすくなる。その結果、バスレフポート気流による、ウーファ２から放出される中高域周波数の音への変調を緩和する。これに代えて、バスレフポート１ｈは、エンクロージャの内部で、ダクトの内幅が一定に保たれて円弧状側面１ｃに開口するものでもよい。
【００１６】
スピーカ１のエンクロージャは、開口部１ｄ，１ｍ、バスレフポート１ｈ、それぞれの縁部左右側面が円弧状側面１ｃであるから、いわゆる「ラウンドバッフル」となる。従って、エンクロージャに角面があると発生する音の回折を低減し、自然な波面で音が伝搬する。
エンクロージャは、例えば、２部分に分割された合成樹脂製の成型体であり、継目１ｊにおいて嵌合されてねじ止めされる。
【００１７】
上述した円弧状側面１ｃは、円筒体の軸１ａ方向に２個の開口部１ｄ，１ｍを有し、スピーカユニットとしてウーファ２及びツィータ３を配設したものであった。しかし、単一の開口部に単一のスピーカユニットを配設したり、３個の開口部にウーファ、スコーカ（squawker）、ツィータの３個のスピーカユニットを配設したりしてもよい。
上述した説明では、開口平面を有するスピーカユニットとホーンを備えたスピーカユニットとを組み合わせたが、いずれか一方のタイプのスピーカユニットを用いてもよい。
上述したスピーカ１は、ミキサー部やコード類を収納する凹部をエンクロージャの背面に形成してもよい。また、エンクロージャ内部にアンプを内蔵して、背面に入力端子や音量操作子等を備えたパネルを設けてもよい。
【００１８】
図２は、図１に示したスピーカ１をフロアスピーカとして、床面に横置で使用する形態の説明図である。図１（ａ）は正面図である。図１（ｂ）はスピーカ１の側面形状を簡略的に図示する右側面図である。
図中、図１と同様な部分には同じ符号を付している。１１はスピーカを設置する床面である。１２は平面状側面１ｂにより切り欠かれて、不存在となったエンクロージャ部分である。
１３はエンクロージヤが円筒体である仮定した場合に設置する床面である。１４はその際に使用する載置台である。１ｋは縦置きで使用するときの脚部（４カ所）、１ｍはウーファ２を配設するための開口部である。
【００１９】
図２（ａ）において、平面状側面１ｂは、横置きで使用する場合に、床面１１に対する設置面となる。平面状側面１ｂと取付平面１ｅとがなす角度に応じて、ウーファ２の前面開口中心軸の仰角が決まる。
図２（ｂ）に示すように、エンクロージャ部分１２が切り欠かれていない完全な円筒体のスピーカである場合、スピーカを床面１３の上に安定に設置するためには、載置台１４を使用する必要がある。
また、エンクロージャ部分１２を有する完全な円筒体のスピーカは、スピーカ１と同じスピーカユニット（ウーファ２、ツィータ３）を使用した場合でも、少なくともエンクロージャ部分１２の高さｈだけ、床１３から高くなってしまう。
従って、この実施形態のスピーカ１は、平面状側面１ｂを有することにより、横置き設置で使用する場合において、床面１１に安定に設置でき、かつ、高さを抑えることができる。
【００２０】
図３は、図１に示したスピーカ１にスピーカグリル２１，２２を取り付ける場合を示す説明図である。
図中、図１と同様な部分には同じ符号を付している。
２１はウーファ２用のスピーカグリル、２２はツィータ３用のスピーカグリルである。２１ａ，２２ａは、グリル（grille）本体部であって、各スピーカユニットを保護するものであり、例えば、音を通過させる網目を有した織布が枠体に張設されたもの、音を通過させる円孔が千鳥状に開けられたパンチングメタルなどである。
グリル本体部２１ａ，２２ａは、円弧状に形成され、ウーファ２、ツィータ３及びホーン１ｆ、を覆うようにエンクロージャに取り付けられている。図示の例では、エンクロージャの円弧状側面１ｃと同じ中心及び半径を有する円弧状であるため、円弧状側面１ｃと連続した側面となる。
２１ｂ，２２ｂは、グリル本体部２１ａ，２２ａの周辺から、エンクロージャの奥行き方向に突き出ている複数の係合突起である。一方、２３は取付平面１ｅの周囲に設けられた複数の係合孔であり、２４は円弧状側面１ｃとホーン１ｆとの境界に設けられた複数の係合孔である。
図示の係合突起２１ｂ，２２ｂは、短冊状の係合片であるが、円柱のピンであってもよい。
【００２１】
スピーカグリル２１，２２を取り付けるには、各係合突起２１ｂ，２２ｂを係合孔２３，２４に差し込む。コーンの保護を要するウーファ２にはスピーカグリル２１を取り付けることが望ましい。しかし、ツィータ３には必ずしもスピーカグリル２２を取り付けなくてもよい。
図示の例では、スピーカグリル２１，２２を係合手段により取り付けたが、ネジ止めにより取り付けてもよい。
【００２２】
図４は、図１に示したスピーカ１における、音の放出に対するスピーカグリルの影響を示す一般的な説明図である。図４（ａ）〜図４（ｃ）は従来の平面状グリルの使用例、図４（ｄ）〜図４（ｆ）は円弧状グリルの使用例である。
図４（ａ）において、３１はモデル化したスピーカユニット、３２はその音響中心（音源位置）、３３は平面状グリルである。このスピーカユニット３１は、音響中心３２を点音源として音が放出される。
矢印３４はスピーカユニット３１の前面開口中心軸における音の放出方向を示し、矢印３５は前面開口周縁における音の放出方向を示す。
【００２３】
図４（ｂ）に示すように、平面状グリル３３を構成する、１本１本の繊維の間隔、あるいは、パンチング孔が、スピーカユニット３１の前面開口中心軸では、矢印３４の放出方向に正対し、最大の幅w1で開口している。
しかし、図４（ｃ）に示すように、前面開口周縁に近づくほど、矢印３５の放出方向に対し開口の幅w2が狭くなり、音が平面状グリル３３を通過しにくくなる。また、図示の矢印３６のように、平面状グリル３３に反射して伝搬する音もある。その結果、音の指向特性が均一でなくなり、指向特性に暴れやディップが現れたりする。
【００２４】
これに対し、図４（ｄ）に示すように、音響中心３２を中心軸とする円弧状グリル３７を使用した場合を考える。
矢印３８はスピーカユニット３１の前面開口中心軸における音の放出方向を示し、矢印３９は前面開口周縁における音の放出方向を示す。
図４（ｅ），図４（ｆ）に示すように、円弧状グリル３７を構成する、繊維の間隔、あるいは、パンチング孔は、スピーカユニット３１の前面開口中心軸、前面開口周縁のいずれでも、矢印３８，３９の放出方向に正対し、最大の幅w1で開口している。その結果、音の指向特性が均一となる。
【００２５】
図３に示したスピーカ１においては、ウーファ２やホーン付きのツィータ３が必ずしも点音源であるとは言えないし、点音源であったとしても、点音源の位置がエンクロージャの中心軸１ａ上にあるわけではない。
しかし、スピーカグリル２１，２２は円弧状であるから、スピーカグリル２１，２２とウーファ２，ツィータ３（スピーカユニット）の前面開口平面との距離が、周縁部に比べて前面開口中心軸に近くなるほど、大となるように離間する。
その結果、ウーファ２，ツィータ３と円弧状のスピーカグリル２１，２２との配置関係は、図４（ｄ）に近い関係にある。従って、音響の指向特性が均一に近いものとなる。
【００２６】
図５は、図１に示したスピーカ１をスピーカ・スタンドに載せて縦置き使用する形態の説明図である。図５（ａ）は正面図である。図５（ｂ）は、スピーカ１の上底面を簡略的に図示する平面図である。図５（ｃ）は、比較例として、背景技術で引用した特許文献１のエンクロージャの上底面を図示する平面図である。
図中、図１と同様な部分には同じ符号を付している。４１はアダプタであって、スピーカ１の底面にねじ止めされる。４２はスピーカ・スタンドであって、開閉可能な三脚と伸縮自在な中央パイプを備え、中央パイプにアダプタ４１のパイプを差し込んでねじで締結する。アダプタ４１、スピーカ・スタンド４２は簡略化して図示している。
【００２７】
スピーカ・スタンド４２に取り付けて、野外設置した場合、風の影響を受けやすい。
図５（ｂ）に示すように、スピーカ１の正面から風を受けたとき、エンクロージャの円弧状側面１ｃが円筒状であるため、風の流路４３は滑らかにエンクロージャを避けて曲がるため、風の影響を受けにくい。図３に示したスピーカグリル２１，２２がエンクロージャに取り付けられていれば、さらに、風の流路４３が滑らかに曲がる。
これに対し、図５（ｃ）に示すように、角のあるエンクロージャ４４の場合は、風の流路４５は滑らか曲がらないため、風圧を強く受けて、スピーカ１が揺れたり倒れたりしやすい。
【００２８】
図６は、本発明の実施形態に用いるスピーカ１の他の具体例を示す斜視図である。
このスピーカは、図１に示したスピーカ１において、前面中央の１個のバスレフポート１ｈに代えて、外側方に２個のバスレフポート５１，５２を用いたものである。図中、図１と同様な部分には同じ符号を付している。
バスレフポート５１，５２は、エンクロージャ内部に円筒のダクトを有する。それぞれは、円弧状側面１ｃに、円筒体の軸１ａに平行であって、ウーファ２及びツィータ３（スピーカユニット）の前面開口中心軸に対し左右それぞれα＝９０度以内で対称となる２直線Ａ−Ａ，Ｂ−Ｂ上の同一軸方向位置に設けられている。図示の例では、開口部１ｄと取付平面１ｅとの間にある前面張出部１ｇの左右端の近傍に設けられている。
バスレフポート５１，５２は、ウーファ２の前面開口中心軸に対し、外向きに開口するから、バスレフポート気流５３，５４が放出される方向が、左右外向きになる結果、バスレフポート気流５３，５４による中高域への変調を緩和することができる。
【００２９】
図７は、図１に示したスピーカ１の断面図である。
図７（ａ）はスピーカ１の模式的な縦断面図である。図７（ｂ）はその断面位置を示す平面図であって、図７（ａ）はスピーカ１の前面開口中心軸を含む縦平面Ｃ−Ｃで切断したときの縦断面である。
図中、図１と同様な部分には同じ符号を付して説明を省略する。
一般に、音響中心はスピーカのボイスコイルの位置にあると言われているが、音響中心は実際に試験することにより確定する。
【００３０】
また、音響中心から聴取位置までの距離が複数スピーカユニットについて同一であれば、聴取位置において、２つの音響中心に分離することなく、１つの音響中心からの音に聞こえると言われている。
そこで、ウーファ２の音響中心Swからスピーカ１の前面までの距離（奥行き）と、ツィータ３の音響中心Stからスピーカ１の前面までの距離（奥行き）とを一致させることが望ましい。言い換えれば、ウーファ２の音響中心Swとツィータの音響中心Stとが円筒体の軸１ａに平行な直線Ｓ−Ｓ上に位置するようにウーファ２及びツィータ３をエンクロージャの開口部に配置することが望ましい。
【００３１】
図８は、本発明の実施形態であるスピーカシステムの説明図である。この図では、スピーカ１が収納容器に収納された状態を収納容器の横断面図として模式的に示している。
スピーカは一般にステレオ再生をするため、２個を組合わせて使用される場合が多い。そこで、２個のスピーカをまとめて収納し運搬するものが知られている。
図８（ａ），図８（ｂ）は、図１〜図７を参照して説明したスピーカ１を２個使用したスピーカシステムの第１，第２の実施形態である。一方のスピーカを１Ａ、他方のスピーカを１Ｂとして説明する。
一方、図８（ｃ）は、完全な円筒体であるエンクロージャを有する２個のスピーカ８１Ａ，８１Ｂを使用したスピーカシステム（比較例）である。
【００３２】
図８（ａ）において、６０はスピーカシステムであって、２個のスピーカ１Ａ，１Ｂ、収納容器６１、仕切部材６２で構成される。６３は収納容器６１内部の収納部である。
収納容器６１は、２個のスピーカ１Ａ，１Ｂを収納する。その際、エンクロージャの平面状側面１ｂ同士を対向させて収納部６３に収納する。
収納部６３の横断面は、略長方形であり、図示の例では、角丸長方形にしている。スピーカ１Ａ，１Ｂの円弧状側面１ｃは、収納容器６１の内面に接する状態で収納されている。スピーカ１Ａの平面状側面１ｂとスピーカ１Ｂの平面状側面１ｂとの間に、平板状の仕切部材６２をはさんでいる。
【００３３】
図８（ｂ）において、７０はスピーカシステムであって、２個のスピーカ１Ａ，１Ｂ、収納容器７１、仕切部材６２で構成される。７２は収納容器７１内部の収納部である。収納部７２の横断面は長円形（２個の半円が直線で結ばれた形状）であり、スピーカ１Ａ，１Ｂの円弧状側面１ｃの半円は、収納容器７１の内曲面に接する状態で収納されている。
【００３４】
図８（ｃ）において、８０はスピーカシステムであって、２個の完全な円筒体形状のスピーカ８１Ａ，８１Ｂ、収納容器８２、仕切部材６２で構成される。８３は収納容器８２内部の収納部である。収納部８３の横断面は、図８（ａ）と同様に略長方形である。
図８（ａ），図８（ｂ）に示す、平面状側面１ｂを有する本願発明の実施形態の収納容器６１，７１は、その横幅が、図８（ｃ）に示した収納容器８２の横幅に比べて短縮されるから、収納容器が小型化される。従って、収納容器の材料費の節減だけでなく、スピーカの搬送や保管に便利である。
【００３５】
図８（ａ），図８（ｂ）においては、仕切部材６２を用いているが、これを用いることなく、スピーカ１Ａ，１Ｂの平面状側面１ｂ同士を密着させて収納すれば、さらに短縮される。
収納部６３，７２に存在する複数の空きスペースに、これらの空きスペースの形状に応じた緩衝部材を設けることにより、空きを少なくしたりなくしたりすることができる。
収納容器６１，７１の開閉構造の図示は省略している。例えば、収納容器６１，７１の前面又は上面を蓋にして、この蓋を開閉できるようにすればよい。開閉手段としては、蝶番とパッチン錠（Catch Lock）の組合せ、ファスナ、ベルトやテープ（梱包）がある。
【００３６】
収納容器６１は、スピーカ１Ａ，１Ｂを外から加わる衝撃から保護するとともに、スピーカ１Ａ，１Ｂが収納容器６１の内面と擦れて傷付かないようにする。
収納容器６１は、例えば、織布、皮革、軟質合成樹脂、ゴム等の柔軟な被覆で形成する。２重被覆にし、間に発泡合成樹脂等の緩衝材を挟んでもよい。また、紙、硬質合成樹脂、金属等の硬質の板材（単板、段ボール）で形成してもよい。
これらの被覆や板材の収納部６３側に、緩衝材を貼り合わせてもよい。
一方、仕切部材６２は、上述した緩衝材のシートを用いたり、緩衝材を柔軟性のある被覆で挟んだものとすればよい。仕切部材６２は、収納容器６１と別構成としてもよいし、一体構成としてもよいし、一部分において連結する構成としてもよい。
上述した収納容器６１，７１は、具体的には、キャリング・ケース（ローラ・バッグ）、トランク（鞄）、コンテナ、梱包箱（例えば、段ボール箱）として実現される。
【００３７】
図９は、図８（ａ）に示した本発明の第１の実施形態において、収納容器としてキャリング・ケース（ローラ・バッグ）を用いた具体例を模式的に示す説明図である。
図９（ａ）は正面図、図９（ｂ）は右側面図であって、いずれも、模式的に図示している。
図中、９０はスピーカシステムであって、２個のスピーカ１Ａ，１Ｂ、キャリング・ケース９１、仕切部材９２、アダプタ４１Ａ，４１Ｂで構成される。
アダプタ４１Ａ，４１Ｂは、スピーカ１Ａ，１Ｂの底面に、ねじ止めされて、スピーカ１Ａ，１Ｂをスピーカ・スタンド４２（図５参照）に載置するためのものである。９３は収納容器９１内部の収納部である。
図示の例では、スピーカ１Ａ，１Ｂにアダプタ４１Ａ，４１Ｂを取り付けた状態で収納するために、スピーカ１Ａ，１Ｂは、その下底面を上にしている。しかし、アダプタ４１Ａ，４１Ｂを外した状態でスピーカ１Ａ，１Ｂを収納してもよい。この場合、収納部９３の高さを短縮できる。
【００３８】
キャリング・ケース９１において、９１ａは２重織布で発泡合成樹脂を包んで形成された容器被覆、９１ｂは台座、９１ｃは脚輪（キャスタ，ローラ）、９１ｄは背板、９１ｅは伸縮可能なハンドル（取っ手）、９１ｆはファスナ、９１ｇは１対の頭合わせスライダ、９１ｈは上ハンドル、９１ｉは側面ハンドル、９１ｊは前ポケット、９１ｋはフラップである。
この具体例においても、２個のスピーカ１Ａ，１Ｂのエンクロージャの平面状側面１ｂ同士を、平板状の仕切部材９２を間にして対向させ、収納部９３に収納している。しかし、仕切部材９２を用いることなく、スピーカ１Ａ，１Ｂの平面状側面１ｂを互いに密着させて収納してもよい。空きスペースの形状に応じた緩衝部材をさらに加えてもよい。
【００３９】
ファスナ９１ｆは、容器被覆９１ａの左側面、上面、及び右側面にわたって連続して形成されている。頭合わせスライダ９１ｇを動かしてファスナ９１ｆを開くことにより、容器被覆９１ａの前面を前に倒し、スピーカ１Ａ，１Ｂをキャリング・ケース９１から取り出すことができる。
図示のキャリング・ケース９１は、運搬時に限らず、スピーカ１Ａ，１Ｂを保管するときの格納容器としても使用できる。
【００４０】
図９に示したキャリング・ケース９１は、図８（ａ）に示した横断面がほぼ長方形である収納容器の一具体例であった。しかし、図８（ｂ）に示したような横断面が長円形となるように、容器被覆を形成してもよい。この場合、ファスナの位置を、奥行き方向中央位置に移動させるなどして、ファスナを開いたときに容器被覆の前面が開くようにすればよい。
【００４１】
上述した説明では、パブリックアドレス用スピーカについて説明した。しかし、小型スピーカを収納するスピーカシステムに適用しても、多様な設置形態が可能で、かつ、コンパクトに搬送及び保管することができるようになる。
【図面の簡単な説明】
【００４２】
【図１】本発明の実施形態に用いるスピーカの外観を示す斜視図である。
【図２】図１に示したスピーカをフロアスピーカとして横置き使用する形態の説明図である。
【図３】図１に示したスピーカにスピーカグリルを取り付ける場合を示す説明図である。
【図４】図１に示したスピーカにおける、音の伝搬に対するグリルの影響を示す説明図である
【図５】図１に示したスピーカをスピーカ・スタンドに載せて縦置き使用する形態の説明図である。
【図６】本発明の実施形態に用いるスピーカの他の具体例を示す斜視図である。
【図７】図１に示したスピーカの縦断面図である。
【図８】本発明の実施形態であるスピーカシステムの説明図である。
【図９】図８（ａ）に示した本発明の実施形態において、収納容器としてキャリング・ケースを用いた具体例を模式的に示す説明図である。
【符号の説明】
【００４３】
１，１Ａ，１Ｂ…スピーカ、１ａ…中心軸、１ｂ…平面状側面、１ｃ…円弧状側面、１ｄ，１ｍ…開口部、１ｅ…取付平面、１ｆ…ホーン、１ｇ…前面張出部、１ｈ…バスレフポート、１ｉ…前面張出部、１ｊ…継目、１ｋ…脚部、２…ウーファ、３…ツィータ、
１１…床面、１２…平面状側面１ｂにより切り欠かれたエンクロージャ部分、１３…エンクロージヤが円筒体である仮定した場合に設置する床面、１４…載置台、
２１，２２…スピーカグリル、２１ａ，２２ａ…グリル本体部、２１ｂ，２２ｂ…係合突起、２３，２４…係合孔
３１…スピーカユニット、３２…音響中心、３３…平面状グリル、３７…円弧状グリル
４１，４１Ａ，４１Ｂ…アダプタ、４２…スピーカ・スタンド、４４…角のあるエンクロージャ（比較例）
５１，５２…バスレフポート、５３，５４…バスレフポート気流、
６１，７１…収納容器、６２…仕切部材、６３，７２…収納部、
８１Ａ，８１Ｂ…スピーカ（比較例）、８２…収納容器（比較例）、８３…収納部、
９１…キャリング・ケース、９１ａ…容器被覆、９１ｂ…台座、９１ｃ…脚輪、９１ｄ…背板、９１ｅ…伸縮可能なハンドル、９１ｆ…ファスナ、９１ｇ…頭合わせスライダ、９１ｈ…上ハンドル、９１ｉ…側面ハンドル、９１ｊ…前ポケット、９１ｋ…フラップ、９２…仕切部材、９３…収納部
【図１】
0005023978.tif 000002
【図２】
0005023978.tif 000003
【図３】
0005023978.tif 000004
【図４】
0005023978.tif 000005
【図５】
0005023978.tif 000006
【図６】
0005023978.tif 000007
【図７】
0005023978.tif 000008
【図８】
0005023978.tif 000009
【図９】
0005023978.tif 000010